(57)【要約】【課題】陳列室内に陳列される特定の商品を効果的に照明することができるショーケースを提供する。【解決手段】本発明のショーケース１は、陳列室１１内に商品Ｓを陳列してなるものであって、陳列室１１内を照明するＬＥＤ素子５３を有する棚ＬＥＤ照明装置５０を備え、この棚ＬＥＤ照明装置５０の長手方向の寸法を、陳列室１１の幅寸法、又は、奥行き寸法、若しくは、縦寸法より小さく構成し、且つ、移動自在に取り付け、スポット的な照明を実現する。【選択図】図５
2010082116.tif 000002
【特許請求の範囲】
【請求項１】
陳列室内に商品を陳列してなるショーケースにおいて、
前記陳列室内を照明するＬＥＤ素子を有するＬＥＤ照明装置を備え、
該ＬＥＤ照明装置の長手方向の寸法を、前記陳列室の幅寸法、又は、奥行き寸法、若しくは、縦寸法より小さく構成し、且つ、移動自在に取り付けたことを特徴とするショーケース。
【請求項２】
前記ＬＥＤ照明装置は、前記陳列室内に架設された棚に取り付けられ、当該棚の幅方向に渡って移動自在とされていることを特徴とする請求項１に記載のショーケース。
【請求項３】
前記ＬＥＤ照明装置は、前記陳列室の開口部に取り付けられ、当該開口の幅方向に渡って移動自在とされていることを特徴とする請求項１に記載のショーケース。
【発明の詳細な説明】
【技術分野】
【０００１】
本発明は、陳列室内に商品を陳列するショーケースに関するものであって、特に、陳列室内の照明に関するものである。
【背景技術】
【０００２】
従来より、この種のショーケースは、例えば特許文献１に示すように、前面に開口する陳列室内に商品陳列用の複数段の棚装置が架設されており、各棚装置の下面前部及び陳列室の開口上部には、陳列室内を照明するための蛍光灯などの照明装置がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明していた。
【０００４】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【特許文献１】特開２００２−３９６７２号公報
【発明の開示】
【発明が解決しようとする課題】
【０００５】
しかしながら、従来の棚に設けられる照明装置では、キャノピーの内側に設けられる照明装置や、各棚の前部下面に設けられる照明装置によって、棚上を一様に照明するものであった。
【０００６】
そのため、棚上や、デッキパン上に陳列される商品のうち、一部の特定の商品をより効果的に照明することができず、当該商品を促進販売するためには、別途商品促進表示部材を棚に設ける場合や、液晶表示部材などを設け、当該商品に関する情報を映像や音などによって販売促進を図っていた。
【０００７】
本発明は、従来の技術的課題を解決するためになされたものであり、陳列室内に陳列される特定の商品を効果的に照明することができるショーケースを提供する。
【課題を解決するための手段】
【０００８】
本発明のショーケースは、陳列室内に商品を陳列してなるものであって、陳列室内を照明するＬＥＤ素子を有するＬＥＤ照明装置を備え、該ＬＥＤ照明装置の長手方向の寸法を、陳列室の幅寸法、又は、奥行き寸法、若しくは、縦寸法より小さく構成し、且つ、移動自在に取り付けたことを特徴とする。
【０００９】
請求項２の発明のショーケースは、上記発明において、ＬＥＤ照明装置は、陳列室内に架設された棚に取り付けられ、当該棚の幅方向に渡って移動自在とされていることを特徴とする。
【００１０】
請求項３の発明のショーケースは、上記請求項１の発明において、ＬＥＤ照明装置は、陳列室の開口部に取り付けられ、当該開口の幅方向に渡って移動自在とされていることを特徴とする。
【発明の効果】
【００１１】
本発明によれば、陳列室内に商品を陳列してなるショーケースにおいて、陳列室内を照明するＬＥＤ素子を有するＬＥＤ照明装置を備え、該ＬＥＤ照明装置の長手方向の寸法を、陳列室の幅寸法、又は、奥行き寸法、若しくは、縦寸法より小さく構成し、且つ、移動自在に取り付けたので、陳列室内の任意の箇所に当該ＬＥＤ照明装置を取り付けることによって、スポット的な照明を実現することが可能となる。
【００１２】
これにより、例えば、棚上の特定の領域や、デッキパン上の特定の領域などをスポット的に照明することが可能となり、陳列・照明効果の向上を図ることができる。
【００１３】
請求項２の発明によれば、上記発明に加えて、ＬＥＤ照明装置は、陳列室内に架設された棚に取り付けられ、当該棚の幅方向に渡って移動自在とされているので、特に、所謂縦型のオープンショーケースなどにおいて、棚の任意の場所にＬＥＤ照明装置を取り付けることにより、棚上にスポット的な照明を実現することが可能となる。
【００１４】
請求項３の発明によれば、上記請求項１の発明に加えて、ＬＥＤ照明装置は、陳列室の開口部に取り付けられ、当該開口の幅方向に渡って移動自在とされているので、特に、所謂平型のオープンショーケースなどにおいて、開口部の任意の場所にＬＥＤ照明装置を取り付けることにより、デッキパン上にスポット的な照明を実現することが可能となる。
【発明を実施するための最良の形態】
【００１５】
以下、図面を参照して本発明の実施形態として２つの実施例について詳述する。
【実施例１】
【００１６】
まず、図１乃至図６を参照して実施例１としてのショーケース１について説明する。図１は本発明を適用したショーケース１の斜視図、図２は図１のショーケース１の縦断側面図、図３は開口上ＬＥＤ照明装置４０の概略構成図、図４は棚ＬＥＤ照明装置５０の概略構成図、図５は棚ＬＥＤ照明装置５０の概略側面図、図６は図５の配線状態を示す図である。
【００１７】
本実施例のショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１８】
ショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板の下端前方には、デッキパン９が断熱壁２の底壁２Ａとの間にダクト用の間隔を存して取り付けられており、これら仕切板４及びデッキパン９の内側を陳列室１１としている。
【００１９】
また、この陳列室１１内には、高さ及び取付角度が変更可能であると共に、陳列室１１内背部の図示しない支柱に取り付けられる一対のブラケット３１及びこれらと共に棚３０を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。
【００２０】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２１】
一方、デッキパン９下方後部には断熱壁２の底壁２Ａ上に前記内層ダクト及び外層ダクトのそれぞれに対応する図示しない送風機が複数台設置されている。
【００２２】
背部仕切板（仕切板４）後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２３】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２４】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２５】
次に、図３を参照して断熱壁２の天壁２Ｂ前部の構成について説明する。断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２６】
この反射板４５は、化粧塗装が施された金属板にて構成されており、前部には、長手方向に渡って延在する開口上ＬＥＤ照明装置４０が両端に設けられる照明取付部材４１によって固定されている。この開口上ＬＥＤ照明装置４０は、図３に示すように複数のＬＥＤ照明部材４６が左右に渡って並設されることにより構成されている。
【００２７】
このＬＥＤ照明部材４６は、複数のＬＥＤ素子４３が配設された基板４２により構成されており、当該基板４２は前面開口１２の長手方向に渡って（本実施例では左右方向に渡って）構成される熱良導性の取付板４４に固定されている。それぞれの基板４２は長手方向に延在して構成されており、当該基板４２には、所定間隔を存して複数のＬＥＤ素子４３が取り付けられている。本実施例において、ＬＥＤ素子４３は、チップタイプの白色のＬＥＤ素子である。
【００２８】
本実施例において、当該ＬＥＤ照明部材４６は、約１尺程度の長さに構成されている。本実施例におけるオープンショーケースは、前面開口（間口）寸法が４尺〜１２尺程度であるため、キャノピー３３の内側に設けられる反射板４５には、当該前面開口寸法に合わせて当該ＬＥＤ照明部材４６が４個〜１２個（複数個）左右渡って並設される。
【００２９】
そして、各ＬＥＤ照明部材４６は、下側から囲繞するかたちで取り付けられる透光性のシェード４７によってカバーされる。
【００３０】
また、本実施例では、当該開口上ＬＥＤ照明装置４０と略同一の構成とされる上部ＬＥＤ照明装置４８が、仕切板４の天壁部であって、内層吐出口１６の後方、且つ、陳列室１１前部上方に位置して設けられている。
【００３１】
係る構成により、各開口上ＬＥＤ照明装置４０及び各上部ＬＥＤ照明装置４８が点灯されると、各シェード４７において拡散された後のそれぞれのＬＥＤ素子４３の照射光により、陳列室１１の外側に位置する上前方から及び、陳列室１１内に位置する上前部から効果的に陳列室１１内全体を照明することが可能となる。
【００３２】
次に、上記図４乃至図６を参照して、各棚３０前端部に設けられる棚ＬＥＤ照明装置５０について説明する。本実施例における棚ＬＥＤ照明装置５０は、棚３０の前端部に取り付けられるプライスレール３４の上端部に棚３０の長手方向に延在して着脱自在に取り付けられる照明装置である。本実施例では、オープンショーケースの前面開口（間口）寸法が４尺〜１２尺程度であるのに対し、当該棚ＬＥＤ照明装置５０は、当該前面開口１２の幅寸法より小さく、例えば、約１尺程度の長さに構成されている。
【００３３】
図４に示すようにＬＥＤ素子５３が配設された基板５２と、当該基板５２が取り付けられる本体５４により構成されている。基板５２は長手方向に延在して構成されており、当該基板５２には、所定間隔を存して複数のＬＥＤ素子５３が取り付けられている。本実施例において、ＬＥＤ素子５３は、上記ＬＥＤ素子４３と同様にチップタイプの白色のＬＥＤ素子である。また、棚ＬＥＤ照明装置５０は、各ＬＥＤ素子５３の光照射側の面を囲繞するかたちで透光性のシェード５７によってカバーされる。
【００３４】
そして、この棚ＬＥＤ照明装置５０を構成する本体５４は、下方に延在して脚部５８が構成されており、当該脚部５８内には、図６に示すように各ＬＥＤ素子５３に給電を行うための端子５９が配設されている。
【００３５】
一方、棚３０のプライスレール３４の上端部には、棚ＬＥＤ照明装置５０の脚部５８を挿入取付するための取付部が長手方向に渡って構成されていると共に、この内部には、棚ＬＥＤ照明装置５０に給電を行うための電極５１が同様に長手方向に渡って配設されている。当該電極５１には、配線５５が接続されており、当該配線５５は、プライスレール３４の下部後端より後方に引き出されており、図６に示すように棚３０を構成する棚板３２の内部下面に沿ってショーケース１の本体にまで引き出されている。
【００３６】
係る構成により、棚ＬＥＤ照明装置５０のＬＥＤ素子５３の光の照射方向が当該棚３０の前端上部とされるように、本体５４の脚部５８を棚３０のプライスレール３４の長手方向の何れかの任意の場所の取付部に取り付ける。これにより、棚３０の前端部に位置するプライスレール３４上方から棚３０上前部に載置される商品Ｓに向けて各ＬＥＤ素子５３からの照射光を照射することができる。従って、棚３０上の前部に載置される商品Ｓのフェース面を効果的に照明することが可能となる。
【００３７】
特に、棚３０前端部に設けられる棚ＬＥＤ照明装置５０は、陳列室１２の幅寸法（前面開口１２の幅寸法）よりも小さく構成されているため、当該棚ＬＥＤ照明装置５０を棚３０の前端部の任意の場所に取り付けることによって、棚３０上前部に載置された商品Ｓを前下方からスポット的に照明することが可能となる。例えば、棚３０上の特定の領域をスポット的に照明することが可能となり、陳列・照明効果の向上を図ることができる。また、棚ＬＥＤ照明装置５０は角度が調整可能となっており、棚３０上前部に載置された商品Ｓの高さに応じて照明することができる。
【００３８】
また、棚ＬＥＤ照明装置５０が取り付けられる棚３０の前端部のプライスレール３４には、当該棚ＬＥＤ照明装置５０に給電するための電極５１が棚３０長手方向に渡って設けられているため、当該棚ＬＥＤ照明装置５０をプライスレール３４の任意の場所に取り付けることにより、支障なく棚ＬＥＤ照明装置５０に給電を行うことが可能となる。
【００３９】
そのため、格別な配線接続をする必要が無く、棚３０の幅方向に渡って移動自在に棚ＬＥＤ照明装置５０を取り付けて、スポットライトとして当該棚３０上に陳列される商品Ｓを照明することが可能となる。
【００４０】
また、本実施例では、棚ＬＥＤ照明装置５０は、棚３０の前端部に設けられたプライスレール３４に着脱自在に取り付けられることで、取付位置を移動自在としているが、これに限定されるものではなく、プライスレール３４に取り付けられた状態で、当該プライスレール３４の長手方向に沿って摺動自在に取り付けられることで、取付位置を移動自在としてもよい。
【００４１】
また、本実施例では、棚ＬＥＤ照明装置５０は、棚３０の前端部に設けられるプライスレール３４に取り付けられているが、これに限定されるものではなく、当該棚３０の前端部に立設される商品落下防止用のガード３５に着脱自在に取り付けられるものとしてもよい。
【００４２】
また、棚ＬＥＤ照明装置５０は、本実施例では、陳列室１１の幅方向（前面開口１２の幅方向）に移動自在に取り付けられるものとしているが、当該棚ＬＥＤ照明装置５０の長手方向の寸法は、陳列室１１の縦寸法（上下寸法）や奥行き寸法より小さく構成されているため、これ以外にも、陳列室１１の縦（上下）方向（前面開口１２の縦（上下）方向）や、陳列室１１の奥行き方向に移動自在に取り付けられるものとしても同様の効果を奏することが可能となる。
【実施例２】
【００４３】
次に、図７を参照して実施例２としてのショーケース６０について説明する。図７は本発明を適用したショーケース６０の縦断側面図を示している。係る実施例における低温ショーケース６０は、例えば、スーパーマーケット等において、冷凍食品や冷菓等を陳列保存するために用いられるものであり、上方に開放した断面略コ字状の断熱箱体６１と、当該断熱箱体６１の両側面を構成する図示しない側板から本体が構成されている。
【００４４】
断熱箱体６１の前後壁６１Ａ、６１Ａの上面には、３枚のガラス板により構成される透明壁６２が立設されている。この透明壁６２の上端には、左右に渡ってハンドレール６３が設けられている。
【００４５】
断熱箱体６１の前後面内側には間隔を存してダクト板６４、６４が取り付けられている。このダクト板６４は、断熱箱体６１の前後壁６１Ａと略同一の高さまで形成されており、当該ダクト板６４の上端には、ガラス板にて構成される透明壁６５が立設される。
【００４６】
そして、ダクト板６４、６４の下端間には前後に並設されるデッキパン６６、６６が着脱可能に架設され、これによって、断熱箱体６１の内側には底面から前後に立ち上がる一連のダクト６７が構成される。そして、当該デッキパン６６、６６間には、内部にダクト６９を構成するダクト部材６８が立設される。このダクト部材６８は、上端が断熱箱体６１の前後壁６１Ａよりも高く、且つ、ダクト板６４の上端に立設される透明壁６５と略同一の高さにまで延在して形成されている。当該ダクト部材６８は、下端がダクト６７と連通して内部のダクト６９と一連のダクトを構成する。これにより、断熱箱体６１内の前後には、ダクト板６４とデッキパン６６とダクト部材６８の内側に陳列室７１、７１がそれぞれ画成される。
【００４７】
一方、前記断熱箱体６１の底壁６１Ｂの上面には、図示しないドレンパンが設けられ、このドレンパンの最も低い位置には、断熱箱体６１外下方に連通した図示しない排水孔が形成されている。このドレンパン上には、前記ダクト６７内に位置して横型の図示しない冷却器が配設され、この冷却器の前後に設けた複数の図示しないファンケース内には、吸込型のプロペラファンから成る送風機が取り付けられている。
【００４８】
上記ダクト部材６８の上端部には、前後にそれぞれ開口する冷気吐出口７０、７０が形成されていると共に、ダクト板６４、６４の上端には、冷気吸込口７２、７２が形成されている。そして、各冷気吐出口７０、７０には内側に湾曲した風向板７３、７３が所定間隔で取り付けられている。
【００４９】
係る構成により、前記冷却機と共に一連の冷媒回路を構成する圧縮機及び各送風機が運転されると、冷却器にて冷却された冷気は、ダクト６７内からダクト６９内に吹き上げられ、ダクト部材６８の上端部前後面に形成された冷気吐出口７０、７０からそれぞれの陳列室７１、７１の上部に向かって吐出される。それぞれの陳列室７１内を循環した冷気は、透明壁６２と６５の間を降下し、ダクト板６４の上端の冷気吸込口７２からダクト６７内に吸い込まれ、送風機に帰還する循環を行う。これによって、それぞれの陳列室７１、７１内は、所定の冷却温度に冷却される。
【００５０】
一方、ダクト部材６８の上端部には、前後に形成される陳列室７１、７１の上面開口７４、７４の開口縁を構成するトップテーブル７５が設けられている。当該トップテーブル７５の前後面には、上面開口７４、７４の全幅に渡ってプライスレール７６が設けられている。
【００５１】
また、このトップテーブル７５の上面には、支柱７７が立設されており、当該支柱７７の上端には、各陳列室７１、７１側に張り出したキャノピー７８が上面開口７４、７４の全幅に渡って設けられている。このキャノピー７８の前後面には、各陳列室７１、７１内を上方から照明する開口上ＬＥＤ照明装置７９、７９がそれぞれの上面開口７４、７４の全幅（左右）に渡って設けられている。尚、当該開口上ＬＥＤ照明装置７９の詳細な構成は上記実施例における開口上ＬＥＤ照明装置４０と同様であるため説明を省略する。
【００５２】
係る構成により、各開口上ＬＥＤ照明装置７９、７９が点灯されると、各シェード４７において拡散された後のそれぞれのＬＥＤ素子の照射光により、陳列室７１、７１の外側に位置する上方から効果的にそれぞれの陳列室７１、７１内全体を照明することが可能となる。
【００５３】
次に、各陳列室７１の開口部、即ち上面開口７４に取り付けられる開口部ＬＥＤ照明装置８０について説明する。係る実施例における開口部ＬＥＤ照明装置８０は、陳列室７１、７１の上面開口７４縁を構成する前記トップテーブル７５の前後面に取り付けられるプライスレール７６に当該開口７４の長手方向に延在して着脱自在に取り付けられる照明装置である。係る実施例では、ショーケース６０の各陳列室７１の上面開口（間口）寸法が４尺〜１２尺程度であるのに対し、当該開口部ＬＥＤ照明装置８０は、当該上面開口７４の幅寸法より小さく、例えば、約１尺程度の長さに構成されている。
【００５４】
尚、当該実施例における開口部ＬＥＤ照明装置８０の詳細な構成は、上記実施例１における棚ＬＥＤ照明装置５０と同様であると共に、当該開口縁に設けられるプライスレール７６の構成も上記実施例１におけるプライスレール３４と同様に構成するため、詳細な説明は省略する。
【００５５】
係る構成により、開口部ＬＥＤ照明装置８０のＬＥＤ素子５３の光の照射方向がそれぞれの陳列室７１、７１内とされるように、本体５４の脚部５８をトップテーブル７５の前後面に取り付けられるプライスレール７６、７６の長手方向の何れかの任意の場所の取付部に取り付ける。これにより、それぞれの陳列室７１の上面開口縁に位置するプライスレール７６の陳列室７１側の面から下方に位置する陳列室７１内のデッキパン６６上に載置される商品に向けて各ＬＥＤ素子５３からの照射光を照射することができる。従って、デッキパン６６上に載置される商品を効果的に照明することが可能となる。
【００５６】
特に、それぞれの陳列室７１の上面開口部（上面開口縁）に設けられる開口部ＬＥＤ照明装置８０は、陳列室７１の幅寸法（上面開口７４の幅寸法）よりも小さく構成されているため、当該開口部ＬＥＤ照明装置８０を上面開口部の任意の場所に取り付けることによって、陳列室７１内のデッキパン６６上に載置された商品を開口上ＬＥＤ照明装置７９よりも近接した位置からスポット的に照明することが可能となる。例えば、デッキパン６６上の特定の領域をスポット的に照明することが可能となり、陳列・照明効果の向上を図ることができる。また、開口部ＬＥＤ照明装置８０は角度が調整可能となっており、デッキパン６６上に載置された商品の高さ等に応じて照明することができる。
【００５７】
また、開口部ＬＥＤ照明装置８０が取り付けられるトップテーブル７５の前後面のプライスレール７６には、上記実施例１と同様に当該開口部ＬＥＤ照明装置８０に給電するための電極が上面開口４６縁の長手方向に渡って設けられているため、当該開口部ＬＥＤ照明装置８０をプライスレール７６の任意の場所に取り付けることにより、支障なく開口部ＬＥＤ照明装置８０に給電を行うことが可能となる。
【００５８】
そのため、格別な配線接続をする必要が無く、開口部７４の幅方向に渡って移動自在に開口部ＬＥＤ照明装置８０を取り付けて、スポットライトとして当該陳列室７１内に陳列される商品を上方から照明することが可能となる。
【００５９】
また、係る実施例では、開口部ＬＥＤ照明装置８０は、トップテーブル７５の前後面に設けられたプライスレール７６に着脱自在に取り付けられることで、取付位置を移動自在としているが、これに限定されるものではなく、プライスレール７６に取り付けられた状態で、当該プライスレール７６の長手方向に沿って摺動自在に取り付けられることで、取付位置を移動自在としてもよい。
【００６０】
また、開口部ＬＥＤ照明装置８０は、係る実施例では、陳列室７１の幅方向（上面開口７４の幅方向）に移動自在に取り付けられるものとしているが、当該開口部ＬＥＤ照明装置８０の長手方向の寸法は、陳列室７１の奥行き寸法より小さく構成されているため、これ以外にも、陳列室７１の奥行き方向に移動自在に取り付けられるものとしても同様の効果を奏することが可能となる。
【図面の簡単な説明】
【００６１】
【図１】本発明を適用したショーケースの斜視図である。（実施例１）
【図２】図１のショーケースの縦断側面図である。
【図３】開口上ＬＥＤ照明装置の概略構成図である。
【図４】棚ＬＥＤ照明装置の概略構成図である。
【図５】棚ＬＥＤ照明装置の概略側面図である。
【図６】図５の配線状態を示す図である。
【図７】本発明を適用したショーケースの縦断側面図である。（実施例２）
【符号の説明】
【００６２】
１、６０  ショーケース
２    断熱壁
９、６６  デッキパン
１１、７１  陳列室
１２  前面開口
１６、１７、７０  冷気吐出口
１８、１９、７２  冷気吸込口
２０、６３  ハンドレール
３０  棚
３１  ブラケット
３２  棚板
３４、７６  プライスレール
３５  ガード
４０  開口上ＬＥＤ照明装置
４１  照明取付部材
４２  基板
４３  ＬＥＤ素子
４４  取付板
４５  反射板
４６  ＬＥＤ照明部材
４７  シェード
４８  上部ＬＥＤ照明装置
５０  棚ＬＥＤ照明装置
５１  電極
５２  基板
５３  ＬＥＤ素子
５４  本体
５５  配線
５７  シェード
５８  脚部
５９  端子
６１  断熱箱体
６１Ａ  前後壁
６１Ｂ  底壁
６２、６５  透明壁
６４  ダクト板
７４  上面開口
７５  トップテーブル
７９  開口上ＬＥＤ照明装置
８０  開口部ＬＥＤ照明装置
【図１】
2010082116.tif 000003
【図２】
2010082116.tif 000004
【図３】
2010082116.tif 000005
【図４】
2010082116.tif 000006
【図５】
2010082116.tif 000007
【図６】
2010082116.tif 000008
【図７】
2010082116.tif 000009